(57)【要約】【課題】ユーザ毎の閲覧管理を事前のユーザ登録しないで出来るようにする。閲覧者に対象ホームページの周期的な閲覧を促す。ユーザが直感的にどのホームページを閲覧し、閲覧回数や、閲覧によって得たポイントを分かりやすい形で示す【解決手段】閲覧者を特定する情報を自動的に取得する。同じ閲覧者かどうかを特定する情報を基にして閲覧したことの記録を時間と共に保存し、閲覧したことの記録を一定の時間が経たないと記録しないようにする。設定した期間と最終閲覧日時を比べて期間が経過している場合は通知する。【選択図】        図６
2004246496.tif 000002
【特許請求の範囲】
【請求項１】
下記のａ乃至ｄのステップから成るホームページ閲覧管理システム
ａ．ホームページ閲覧者が端末機を用い対象ホームページを閲覧する時に、閲覧管理者のサーバは閲覧者のＩＤ又は閲覧端末機のＩＤを閲覧者特定ＩＤとして取得するステップ。
ｂ．上記閲覧時にホームページ閲覧者の端末機を用いた要求により閲覧管理者のサーバは上記取得した閲覧者特定ＩＤで管理された対象ホームページの閲覧回数が上記サーバ上に保存されていない事を確認し、上記閲覧者特定ＩＤで管理する対象ホームページの閲覧回数を１回として、またその閲覧の日時を最終閲覧日時として上記サーバ上に保存するステップ。
ｃ．ホームページ閲覧者が端末機を用い対象ホームページを引き続き閲覧する都度、自動的に又はホームページ閲覧者の端末機を用いた要求により、閲覧管理者のサーバは上記閲覧者特定ＩＤを再取得しその閲覧者特定ＩＤで管理、保存されている上記最終閲覧日時と現在時刻を比較し、現在時刻が対象ホームページに予め設定された期間や日時を経過している場合は上記閲覧者特定ＩＤで管理された対象ホームページの閲覧回数を増やしその閲覧日時を最終閲覧日時として上記サーバ上に更新保存するステップ。
ｄ．ホームページ閲覧者が端末機を用い要求する時に閲覧管理者のサーバは上記閲覧者特定ＩＤを再取得しその閲覧者特定ＩＤで管理、保存されている上記対象ホームページの閲覧回数を上記閲覧者の端末機に通知するステップ。
【請求項２】
下記のａ乃至ｅのステップから成るホームページ閲覧管理システム
ａ．ホームページ閲覧者が端末機を用い対象ホームページを閲覧する時に、閲覧管理者のサーバは閲覧者のＩＤ又は閲覧端末機のＩＤを閲覧者特定ＩＤとして取得するステップ。
ｂ．上記閲覧時にホームページ閲覧者の端末機を用いた要求により閲覧管理者のサーバは上記取得した閲覧者特定ＩＤで管理された対象ホームページの閲覧回数が上記サーバ上に保存されていない事を確認し、上記閲覧者特定ＩＤで管理する対象ホームページの閲覧回数を１回として、またその閲覧の日時を最終閲覧日時として上記サーバ上に保存するステップ。
ｃ．ホームページ閲覧者が端末機を用い対象ホームページを引き続き閲覧する都度、自動的に又はホームページ閲覧者の端末機からの要求により、閲覧管理者のサーバは上記閲覧者特定ＩＤを再取得しその閲覧者特定ＩＤで管理、保存されている上記最終閲覧日時と現在時刻を比較し、現在時刻が対象ホームページに予め設定された期間や日時を経過している場合は上記閲覧者特定ＩＤで管理された対象ホームページの閲覧回数を増やしその閲覧日時を最終閲覧日時として上記サーバ上に更新保存するステップ。
ｄ．ホームページ閲覧者が端末機を用い要求する時に上記サーバは上記閲覧者特定ＩＤを再取得しその閲覧者特定ＩＤで管理、保存されている上記対象ホームページの閲覧回数を上記閲覧者の端末機に通知するステップ。
ｅ．ホームページ閲覧者が端末機を用い要求する時に上記サーバは上記閲覧者特定ＩＤを再取得しその閲覧者特定ＩＤで管理、保存されている上記最終閲覧日時と現在時刻を比較し、現在時刻が上記予め設定された上記期間や日時を経過している場合は、上記閲覧者の端末機に通知するステップ。
【請求項３】
下記のａ乃至ｄのステップから成るホームページ閲覧管理システム
ａ．ホームページ閲覧者が端末機を用い対象ホームページを閲覧する時に、閲覧管理者のサーバは閲覧者のＩＤ又は閲覧端末機のＩＤを閲覧者特定ＩＤとして取得するステップ。
ｂ．上記閲覧時にホームページ閲覧者の端末機を用いた要求により閲覧管理者のサーバは上記取得した閲覧者特定ＩＤで管理された対象ホームページの閲覧日時が上記サーバ上に保存されていない事を確認し、上記閲覧者特定ＩＤで管理する対象ホームページの閲覧日時として上記閲覧の日時を上記サーバ上に保存するステップ。
ｃ．ホームページ閲覧者が端末機を用い対象ホームページを引き続き閲覧する都度、自動的に又はホームページ閲覧者の端末機を用いた要求により、閲覧管理者のサーバは上記閲覧者特定ＩＤを再取得しその閲覧者特定ＩＤで管理、保存されている上記閲覧日時の中の最終閲覧日時と現在時刻を比較し、現在時刻が対象ホームページに予め設定された期間や日時を経過している場合は上記閲覧者特定ＩＤで管理する対象ホームページの閲覧日時としてその閲覧日時を上記サーバ上に追加保存するステップ。
ｄ．ホームページ閲覧者が端末機を用い要求する時に上記サーバは上記閲覧者特定ＩＤを再取得しその閲覧者特定ＩＤで管理、保存されている上記対象ホームページの閲覧日時の個数を数えて出した閲覧回数又は／及び上記閲覧日時を上記閲覧者の端末機に通知するステップ。
【請求項４】
下記のａ乃至ｅのステップから成るホームページ閲覧管理システム
ａ．ホームページ閲覧者が端末機を用い対象ホームページを閲覧する時に、閲覧管理者のサーバは閲覧者のＩＤ又は閲覧端末機のＩＤを閲覧者特定ＩＤとして取得するステップ。
ｂ．上記閲覧時にホームページ閲覧者の端末機を用いた要求により閲覧管理者のサーバは上記取得した閲覧者特定ＩＤで管理された対象ホームページの閲覧日時が上記サーバ上に保存されていない事を確認し、上記閲覧者特定ＩＤで管理する対象ホームページの閲覧日時として上記閲覧の日時を上記サーバ上に保存するステップ。
ｃ．ホームページ閲覧者が端末機を用い対象ホームページを引き続き閲覧する都度、自動的に又はホームページ閲覧者の端末機からの要求により、閲覧管理者のサーバは上記閲覧者特定ＩＤを再取得しその閲覧者特定ＩＤで管理、保存されている上記閲覧日時の中の最終閲覧日時と現在時刻を比較し、現在時刻が対象ホームページに予め設定された期間や日時を経過している場合は上記閲覧者特定ＩＤで管理する対象ホームページの閲覧日時としてその閲覧日時を上記サーバ上に追加保存するステップ。
ｄ．ホームページ閲覧者が端末機を用い要求する時に上記サーバは上記閲覧者特定ＩＤを再取得しその閲覧者特定ＩＤで管理、保存されている上記対象ホームページの閲覧日時の個数を数えて出した閲覧回数又は／及び上記閲覧日時を上記閲覧者の端末機に通知するステップ。
ｅ．ホームページ閲覧者が端末機を用い要求する時に上記サーバは上記閲覧者特定ＩＤを再取得しその閲覧者特定ＩＤで管理、保存されている上記閲覧日時の中の最終閲覧日時と現在時刻を比較し、現在時刻が上記予め設定された上記期間や日時を経過している場合は、上記閲覧者の端末機に通知するステップ。
【請求項５】
下記のａ乃至ｅのステップから成るホームページ閲覧管理システム
ａ．閲覧管理者はサーバ上に収集用画像データを準備し対象ホームページ上に上記収集用画像をリンクさせ配置するステップ。
ｂ．ホームページ閲覧者が端末機を用い対象ホームページを閲覧する度に、閲覧管理者のサーバは閲覧者のＩＤ又は閲覧端末機のＩＤを閲覧者特定ＩＤとして取得するステップ。
ｃ．上記閲覧時にホームページ閲覧者の端末機を用いた要求により閲覧管理者のサーバは上記取得した閲覧者特定ＩＤで管理された収集履歴に上記収集用画像データ又は／及び画像を特定するデータが保存されていない事を確認し、上記閲覧者特定ＩＤで管理する収集履歴に上記収集用画像データ又は／及び画像を特定するデータと、その閲覧日時を保存して収集するステップ。
ｄ．ホームページ閲覧者が端末機を用い対象ホームページを引き続き閲覧する都度、自動的に又はホームページ閲覧者の端末機からの要求により、閲覧管理者のサーバは上記閲覧者特定ＩＤを再取得しその閲覧者特定ＩＤで管理、保存収集されている上記閲覧日時の中の最終閲覧日時と現在時刻を比較し、現在時刻が対象ホームページに予め設定された期間や日時を経過している場合は上記閲覧者特定ＩＤで管理する収集履歴に上記収集用画像データ又は／及び画像を特定するデータと、その閲覧日時を上記サーバ上に追加保存して収集するステップ。
ｅ．ホームページ閲覧者が端末機を用い要求する時に閲覧管理者のサーバは上記閲覧者特定ＩＤを再取得しその閲覧者特定ＩＤで上記管理され保存、収集された画像データ又は／及び画像を特定するデータから上記ホームページ閲覧者の端末機に画像として表示して上記ホームページ閲覧者に閲覧せしめるステップ。
【請求項６】
下記のａ乃至ｆのステップから成るホームページ閲覧管理システム
ａ．閲覧管理者はサーバ上に収集用画像データを準備し対象ホームページ上に上記収集用画像をリンクさせ配置するステップ。
ｂ．ホームページ閲覧者が端末機を用い対象ホームページを閲覧する度に、閲覧管理者のサーバは閲覧者のＩＤ又は閲覧端末機のＩＤを閲覧者特定ＩＤとして取得するステップ。
ｃ．上記閲覧時にホームページ閲覧者の端末機を用いた要求により閲覧管理者のサーバは上記取得した閲覧者特定ＩＤで管理された収集履歴に上記収集用画像データ又は／及び画像を特定するデータが保存されていない事を確認し、上記閲覧者特定ＩＤで管理する収集履歴に上記収集用画像データ又は／及び画像を特定するデータと、その閲覧日時を保存して収集するステップ。
ｄ．ホームページ閲覧者が端末機を用い対象ホームページを引き続き閲覧する都度、自動的に又はホームページ閲覧者の端末機からの要求により、閲覧管理者のサーバは上記閲覧者特定ＩＤを再取得しその閲覧者特定ＩＤで管理、保存収集されている上記閲覧日時の中の最終閲覧日時と現在時刻を比較し、現在時刻が対象ホームページに予め設定された期間や日時を経過している場合は上記閲覧者特定ＩＤで管理する収集履歴に上記収集用画像データ又は／及び画像を特定するデータと、その閲覧日時を上記サーバ上に追加保存して収集するステップ。
ｅ．ホームページ閲覧者が端末機を用い要求する時に閲覧管理者のサーバは上記閲覧者特定ＩＤを再度取得しその閲覧者特定ＩＤで上記管理され保存、収集された画像データ又は／及び画像を特定するデータから上記ホームページ閲覧者の端末機に画像として表示して上記ホームページ閲覧者に閲覧せしめるステップ。
ｆ．ホームページ閲覧者からの端末機を用いた要求により閲覧管理者のサーバは上記閲覧者特定ＩＤを再取得しその閲覧者特定ＩＤで管理、保存されている上記閲覧日時の中の最終閲覧日時と現在時刻を比較し、現在時刻が上記予め設定した上記期間や日時を経過している場合は、上記管理され保存、収集された画像データ又は／及び画像を特定するデータから上記ホームページ閲覧者の端末機に画像として表示すると共に表示法を変化させ通知するステップ。
【請求項７】
下記のａ乃至ｄのステップから成るホームページ閲覧管理システム
ａ．ホームページ閲覧者が端末機を用い対象ホームページのひとつを閲覧する時に、閲覧管理者のサーバはホームページ特定ＩＤを取得し、閲覧者のＩＤ又は閲覧端末機のＩＤを閲覧者特定ＩＤとして取得するステップ。
ｂ．上記閲覧時にホームページ閲覧者の端末機を用いた要求により閲覧管理者のサーバは上記ホームページ特定ＩＤ及び上記閲覧者特定ＩＤで管理されたホームページの閲覧回数が上記サーバ上に保存されていない事を確認し、上記ホームページ特定ＩＤ及び上記閲覧者特定ＩＤで管理する対象ホームページの閲覧回数を１として、またその閲覧の日時を最終閲覧日時として上記サーバ上に保存するステップ。
ｃ．ホームページ閲覧者が端末機を用い上記ｃで要求した対象ホームページを引き続き閲覧する都度、自動的に又はホームページ閲覧者の端末機を用いた要求により、閲覧管理者のサーバは上記ホームページ特定ＩＤ及び上記上記閲覧者特定ＩＤを再取得しそのホームページ特定ＩＤ及び閲覧者特定ＩＤで管理、保存された上記最終閲覧日時と現在時刻を比較し、現在時刻が上記ホームページ特定ＩＤに予め設定された期間や日時を経過している場合は上記ホームページ特定ＩＤ及び閲覧者特定ＩＤで管理された閲覧回数を増やしその閲覧日時を最終閲覧日時として上記サーバ上に更新保存するステップ。
ｄ．ホームページ閲覧者が端末機を用い上記ｃで要求した対象ホームページのひとつを閲覧して要求した時に上記サーバは上記ホームページ特定ＩＤ及び上記閲覧者特定ＩＤを再取得しその上記ホームページ特定ＩＤ及び閲覧者特定ＩＤで管理、保存されている上記対象ホームページの閲覧回数を上記閲覧者の端末機に通知するステップ。
【請求項８】
下記のａ乃至ｅのステップから成るホームページ閲覧管理システム
ａ．ホームページ閲覧者が端末機を用い対象ホームページのひとつを閲覧する時に、閲覧管理者のサーバはホームページ特定ＩＤを取得し、閲覧者のＩＤ又は閲覧端末機のＩＤを閲覧者特定ＩＤとして取得するステップ。
ｂ．上記閲覧時にホームページ閲覧者の端末機を用いた要求により閲覧管理者のサーバは上記ホームページ特定ＩＤ及び上記閲覧者特定ＩＤで管理されたホームページの閲覧回数が上記サーバ上に保存されていない事を確認し、上記ホームページ特定ＩＤ及び上記閲覧者特定ＩＤで管理する対象ホームページの閲覧回数を１として、またその閲覧の日時を最終閲覧日時として上記サーバ上に保存するステップ。
ｃ．ホームページ閲覧者が端末機を用い上記ｃで要求した対象ホームページを引き続き閲覧する都度、自動的に又はホームページ閲覧者の端末機を用いた要求により、閲覧管理者のサーバは上記ホームページ特定ＩＤ及び上記上記閲覧者特定ＩＤを再取得しそのホームページ特定ＩＤ及び閲覧者特定ＩＤで管理、保存された上記最終閲覧日時と現在時刻を比較し、現在時刻が上記ホームページ特定ＩＤに予め設定された期間や日時を経過している場合は上記ホームページ特定ＩＤ及び閲覧者特定ＩＤで管理された閲覧回数を増やしその閲覧日時を最終閲覧日時として上記サーバ上に更新保存するステップ。
ｄ．ホームページ閲覧者が端末機を用い上記ｃで要求した対象ホームページのひとつを閲覧して要求する時に閲覧管理者のサーバは上記ホームページ特定ＩＤ及び上記閲覧者特定ＩＤを再取得しその上記ホームページ特定ＩＤ及び閲覧者特定ＩＤで管理、保存されている上記対象ホームページの閲覧回数を上記閲覧者の端末機に通知するステップ。
ｅ．ホームページ閲覧者が端末機を用い要求する時に閲覧管理者のサーバは上記閲覧者特定ＩＤを再取得し、ホームページ特定ＩＤ及び閲覧者特定ＩＤ毎に管理、保存されている対象ホームページの閲覧回数の中からその再取得した上記閲覧者特定ＩＤの対象ホームページの閲覧回数を選択し、その選択した閲覧回数をホームページ特定ＩＤ又はそのＩＤが示すホームページ名と共に上記閲覧者の端末機に通知するステップ。
【請求項９】
下記のａ乃至ｆのステップから成るホームページ閲覧管理システム
ａ．ホームページ閲覧者が端末機を用い対象ホームページのひとつを閲覧する時に、閲覧管理者のサーバはホームページ特定ＩＤを取得し、閲覧者のＩＤ又は閲覧端末機のＩＤを閲覧者特定ＩＤとして取得するステップ。
ｂ．上記閲覧時にホームページ閲覧者の端末機を用いた要求により閲覧管理者のサーバは上記ホームページ特定ＩＤ及び上記閲覧者特定ＩＤで管理されたホームページの閲覧回数が上記サーバ上に保存されていない事を確認し、上記ホームページ特定ＩＤ及び上記閲覧者特定ＩＤで管理する対象ホームページの閲覧回数を１として、またその閲覧の日時を最終閲覧日時として上記サーバ上に保存するステップ。
ｃ．ホームページ閲覧者が端末機を用い上記ｃで要求した対象ホームページを引き続き閲覧する都度、自動的に又はホームページ閲覧者の端末機を用いた要求により、閲覧管理者のサーバは上記ホームページ特定ＩＤ及び上記上記閲覧者特定ＩＤを再取得しそのホームページ特定ＩＤ及び閲覧者特定ＩＤで管理、保存された上記最終閲覧日時と現在時刻を比較し、現在時刻が上記ホームページ特定ＩＤに予め設定された期間や日時を経過している場合は上記ホームページ特定ＩＤ及び閲覧者特定ＩＤで管理された閲覧回数を増やしその閲覧日時を最終閲覧日時として上記サーバ上に更新保存するステップ。
ｄ．ホームページ閲覧者が端末機を用い上記ｃで要求した対象ホームページのひとつを閲覧して要求する時に閲覧管理者のサーバは上記ホームページ特定ＩＤ及び上記閲覧者特定ＩＤを再取得しその上記ホームページ特定ＩＤ及び閲覧者特定ＩＤで管理、保存されている上記対象ホームページの閲覧回数を上記閲覧者の端末機に通知するステップ。
ｅ．ホームページ閲覧者が端末機を用い要求する時に閲覧管理者のサーバは上記閲覧者特定ＩＤを再取得し、ホームページ特定ＩＤ及び閲覧者特定ＩＤ毎に管理、保存されている対象ホームページの閲覧回数の中からその再取得した上記閲覧者特定ＩＤの対象ホームページの閲覧回数を選択し、その選択した閲覧回数をホームページ特定ＩＤ又はそのＩＤが示すホームページ名と共に上記閲覧者の端末機に通知するステップ。
ｆ．上記通知時に閲覧管理者のサーバは上記選択した対象ホームページのホームページ特定ＩＤ毎に保存された最終閲覧日時と現在時刻を比較し、現在時刻がホームページ特定ＩＤ毎に予め設定され上記サーバ上に保存された該期間や該日時を経過している場合はそのホームページ特定ＩＤ又はそのＩＤが示す対象ホームページ名と共に上記閲覧者の端末機に通知するステップ。
【請求項１０】
下記のａ乃至ｄのステップから成るホームページ閲覧管理システム
ａ．ホームページ閲覧者が端末機を用い対象ホームページのひとつを閲覧する時に、閲覧管理者のサーバはホームページ特定ＩＤを取得し、閲覧者のＩＤ又は閲覧端末機のＩＤを閲覧者特定ＩＤとして取得するステップ。
ｂ．上記閲覧時にホームページ閲覧者の端末機を用いた要求により閲覧管理者のサーバは上記ホームページ特定ＩＤ及び上記閲覧者特定ＩＤで管理されたホームページの閲覧日時が上記サーバ上に保存されていない事を確認し、上記ホームページ特定ＩＤ及び上記閲覧者特定ＩＤで管理する対象ホームページの閲覧日時として上記閲覧の日時を上記サーバ上に保存するステップ。
ｃ．ホームページ閲覧者が端末機を用い上記ｃで要求した対象ホームページを引き続き閲覧する都度、自動的に又はホームページ閲覧者の端末機を用いた要求により、閲覧管理者のサーバは上記ホームページ特定ＩＤ及び上記上記閲覧者特定ＩＤを再取得しそのホームページ特定ＩＤ及び閲覧者特定ＩＤで管理、保存された上記閲覧日時の中の最終閲覧日時と現在時刻を比較し、現在時刻が上記ホームページ特定ＩＤに予め設定された期間や日時を経過している場合は上記ホームページ特定ＩＤ及び閲覧者特定ＩＤで管理する対象ホームページの閲覧日時としてその閲覧の日時を上記サーバ上に追加保存するステップ
ｄ．ホームページ閲覧者が端末機を用い上記ｃで要求した対象ホームページのひとつを閲覧して要求した時に上記サーバは上記ホームページ特定ＩＤ及び上記閲覧者特定ＩＤを再取得しその上記ホームページ特定ＩＤ及び閲覧者特定ＩＤで管理、保存されている上記対象ホームページの閲覧日時の個数を数えて出した閲覧回数又は／及び上記閲覧日時を上記閲覧者の端末機に通知するステップ。
【請求項１１】
下記のａ乃至ｅのステップから成るホームページ閲覧管理システム
ａ．ホームページ閲覧者が端末機を用い対象ホームページのひとつを閲覧する時に、閲覧管理者のサーバはホームページ特定ＩＤを取得し、閲覧者のＩＤ又は閲覧端末機のＩＤを閲覧者特定ＩＤとして取得するステップ。
ｂ．上記閲覧時にホームページ閲覧者の端末機を用いた要求により閲覧管理者のサーバは上記ホームページ特定ＩＤ及び上記閲覧者特定ＩＤで管理されたホームページの閲覧日時が上記サーバ上に保存されていない事を確認し、上記ホームページ特定ＩＤ及び上記閲覧者特定ＩＤで管理する対象ホームページの閲覧日時として上記閲覧の日時を上記サーバ上に保存するステップ。
ｃ．ホームページ閲覧者が端末機を用い上記ｃで要求した対象ホームページを引き続き閲覧し要求する都度、自動的に又はホームページ閲覧者の端末機を用いた要求により、閲覧管理者のサーバは上記ホームページ特定ＩＤ及び上記上記閲覧者特定ＩＤを再取得しそのホームページ特定ＩＤ及び閲覧者特定ＩＤで管理、保存された上記閲覧日時の中の最終閲覧日時と現在時刻を比較し、現在時刻が上記ホームページ特定ＩＤに予め設定された期間や日時を経過している場合は上記ホームページ特定ＩＤ及び閲覧者特定ＩＤで管理する対象ホームページの閲覧日時としてその閲覧日時を上記サーバ上に追加保存するステップ
ｄ．ホームページ閲覧者が端末機を用い上記ｃで要求した対象ホームページのひとつを閲覧する時に上記サーバは上記ホームページ特定ＩＤ及び上記閲覧者特定ＩＤを再取得しその上記ホームページ特定ＩＤ及び閲覧者特定ＩＤで管理、保存されている上記対象ホームページの閲覧日時の個数を数えて出した閲覧回数又は／及び上記閲覧日時を上記閲覧者の端末機に通知するステップ。
ｅ．ホームページ閲覧者が端末機を用い要求する時に閲覧管理者のサーバは上記閲覧者特定ＩＤを再取得し、ホームページ特定ＩＤ及び閲覧者特定ＩＤ毎に管理、保存されている対象ホームページの閲覧日時の中からその再取得した上記閲覧者特定ＩＤの対象ホームページの閲覧日時を選択し、その選択した閲覧日時の個数をホームページ特定ＩＤ毎に数えて出した閲覧回数又は／及び上記閲覧日時をホームページ特定ＩＤ又はそのＩＤが示すホームページ名と共に上記閲覧者の端末機に通知するステップ。
【請求項１２】
下記のａ乃至ｆのステップから成るホームページ閲覧管理システム
ａ．ホームページ閲覧者が端末機を用い対象ホームページのひとつを閲覧する時に、閲覧管理者のサーバはホームページ特定ＩＤを取得し、閲覧者のＩＤ又は閲覧端末機のＩＤを閲覧者特定ＩＤとして取得するステップ。
ｂ．上記閲覧時にホームページ閲覧者の端末機を用いた要求により閲覧管理者のサーバは上記ホームページ特定ＩＤ及び上記閲覧者特定ＩＤで管理されたホームページの閲覧日時が上記サーバ上に保存されていない事を確認し、上記ホームページ特定ＩＤ及び上記閲覧者特定ＩＤで管理する対象ホームページの閲覧日時として上記閲覧の日時を上記サーバ上に保存するステップ。
ｃ．ホームページ閲覧者が端末機を用い上記ｃで要求した対象ホームページを引き続き閲覧し要求する都度、自動的に又はホームページ閲覧者の端末機を用いた要求により、閲覧管理者のサーバは上記ホームページ特定ＩＤ及び上記上記閲覧者特定ＩＤを再取得しそのホームページ特定ＩＤ及び閲覧者特定ＩＤで管理、保存された上記閲覧日時の中の最終閲覧日時と現在時刻を比較し、現在時刻が上記ホームページ特定ＩＤに予め設定された期間や日時を経過している場合は上記ホームページ特定ＩＤ及び閲覧者特定ＩＤで管理する対象ホームページの閲覧日時としてその閲覧日時を上記サーバ上に追加保存するステップ
ｄ．ホームページ閲覧者が端末機を用い上記ｃで要求した対象ホームページのひとつを閲覧する時に上記サーバは上記ホームページ特定ＩＤ及び上記閲覧者特定ＩＤを再取得しその上記ホームページ特定ＩＤ及び閲覧者特定ＩＤで管理、保存されている上記対象ホームページの閲覧日時の個数を数えて出した閲覧回数又は／及び上記閲覧日時を上記閲覧者の端末機に通知するステップ。
ｅ．ホームページ閲覧者が端末機を用い要求する時に閲覧管理者のサーバは上記閲覧者特定ＩＤを再取得し、ホームページ特定ＩＤ及び閲覧者特定ＩＤ毎に管理、保存されている対象ホームページの閲覧日時の中からその再取得した上記閲覧者特定ＩＤの対象ホームページの閲覧日時を選択し、その選択した閲覧日時の個数をホームページ特定ＩＤ毎に数えて出した閲覧回数又は／及び上記閲覧日時をホームページ特定ＩＤ又はそのＩＤが示すホームページ名と共に上記閲覧者の端末機に通知するステップ。
ｆ．上記通知時に閲覧管理者のサーバは上記選択した対象ホームページのホームページ特定ＩＤ毎に保存された閲覧日時の中の最終閲覧日時と現在時刻を比較し、現在時刻がホームページ特定ＩＤ毎に予め設定された該期間や該日時を経過している場合はそのホームページ特定ＩＤ又はそのＩＤが示す対象ホームページ名と共に上記閲覧者の端末機に通知するステップ。
【請求項１３】
下記のａ乃至ｂのステップから成るホームページ閲覧管理システム
ａ．ホームページ閲覧者が端末機を用い対象ホームページのひとつを閲覧する時に、閲覧管理者のサーバはホームページ特定ＩＤを取得し、閲覧者のＩＤ又は閲覧端末機のＩＤを閲覧者特定ＩＤとして取得するステップ。
ｂ．上記閲覧時に閲覧管理者のサーバは上記ホームページ特定ＩＤ及び上記閲覧者特定ＩＤで管理されたホームページの閲覧回数又は閲覧日時が上記サーバ上に保存されていない事を確認し、閲覧回数又は閲覧日時の保存を開始するか否かをホームページ閲覧者の端末機に表示して問い合わせするステップ。
【発明の詳細な説明】
【０００１】
【発明の属する技術分野】
本発明は、インターネットのホームページを特定の閲覧者が閲覧したか確認するインターネット利用技術に関するものである。
【従来の技術】
【０００２】
従来のホームページの閲覧管理は事前に登録された閲覧者に電子メールを送り、その中に埋め込んだリンクをクリックさせ、センターで管理するものや、
予め電子メールアドレス等のユーザＩＤを登録して、対象ホームページを閲覧するたびにユーザＩＤを入力させ、ユーザＩＤごとに閲覧を管理するものである。その場合もどのホームページを閲覧したかではなく、そのユーザＩＤが閲覧回数に応じて獲得したポイントで管理するものである。
いずれの場合も、事前登録が必要であり、またホームページごとの周期的な閲覧を促す手段に欠けている。
周期的な閲覧に近いものとして、ホームページを閲覧しその中にあるクーポンを印刷して窓口や、清算時に渡すものがあるが、周期的閲覧というよりは単なる値引きにしかならないものが多い。
インターネットショップでは購入毎や、最初の登録時にポイントを渡してユーザの囲い込みするものも有るがその管理方式は、購入時や、登録時のユーザＩＤを用いるものである。
複数のホームページの閲覧を閲覧者ごとに管理することにより、個々のホームページの閲覧を管理し個々の閲覧者がどこのページを何回閲覧したか確認できるという管理は行われていない。
【０００３】
【発明が解決しようとする課題】
閲覧の確認を事前登録不要でおこなうこと
無料はもちろんの事、何かの特典と引き換えでも閲覧者は閲覧者側の情報を出すことや、入力等の手間は通常いやがる。閲覧者が特典を得られるホームページを閲覧する場合、事前登録なしで対象ホームページを閲覧したことが分かるようにする。
周期的な閲覧を促すこと
ホームページ開設者は新規の閲覧者を増やし、商品の販売や、開設者の告知に勤めるが、既存の閲覧者の周期的な閲覧を促し開設者のブランドや、新製品の告知に勤めることも重要である、そのためには既存の閲覧者の周期的な閲覧が重要である。
閲覧の確認を分かりやすい形で閲覧者に示すこと
閲覧数回数や、閲覧することにより加算されるポイントが閲覧したことの証拠となるデータで示されるのではなく、閲覧者が直感的にどのホームページを閲覧し、閲覧回数や、閲覧によって得たポイントを分かりやすい形で示すことも大切である。
複数のホームページ閲覧を個別に一元管理する
閲覧者が閲覧により特典が得られるホームページをまとめて管理できるようになれば、閲覧者にとってメリットとなる。複数のホームページの閲覧を一元管理する方法を提供する。
【０００４】
【課題を解決するための手段】
同じ閲覧者かどうかを特定する情報をユーザの入力ではなくサーバが設定したり、サーバが得られる情報から自動的に得るようにする。
同じ閲覧者かどうかを特定する情報を基にして閲覧したことの記録を時間と共に保存し、閲覧したことの記録を一定の時間が経たないと記録しないようにする。閲覧したことをスタンプ状の画像で表現しまた、閲覧回数分だけ表示することにより直感的に分かりやすく知らせることができる。
閲覧したホームページを特定する情報と、閲覧者を特定する情報を対にして保存して閲覧者がホームページを閲覧したことを管理する。
さらに、周期的に閲覧させたい周期が経過したことを閲覧者に通知することにより次回の閲覧を促すことができる。
どのユーザがどのページを見たと言う閲覧回数、閲覧日時の管理を行えば、ユーザごとにどのページを見ているか容易にユーザに示すことができるようになり、複数のホームページ閲覧をユーザごとに個別に一元管理できる。
【０００５】
【発明の実施と形態】
発明の実施の形態を実施例に元づき図面を参照して説明する。
最初に本発明による方法を実現するための機器の構成について図１を用いて説明する。
閲覧管理システムはホームページ閲覧者（６）の端末機（１）と、閲覧管理者のサーバ（２）及び閲覧回数、閲覧日を保存する記憶装置（４）、ホームページ開設者のサーバ（３）及び対象ホームページを保存する記憶装置（５）の機器構成からなる。
閲覧管理システムを構成する閲覧管理者のサーバ（２）は、図１に示すように閲覧を確認する対象ホームページを開設するサーバ（３）とは別途に配置されることを想定しているが、閲覧管理とホームページを開設するサーバが物理的に同一の場合でも同じ説明が成り立つ。また各サーバは機能としてひとつのサーバとして説明されているが物理的に複数のサーバが一つの機能をなしてもよい。閲覧管理者のサーバとは閲覧管理者が管理できるサーバであり、あるサーバの閲覧管理者が管理できる一部の領域や、閲覧管理者が管理できる物理的に複数のサーバでもよい。
また以下の説明でＣＧＩ（ｃｏｍｍｏｎ  ｇａｔｅｗａｙ  ｉｎｔｅｒｆａｃｅ）は広義の意味でＷＷＷサーバにて動く、閲覧データを返すプログラムの総称でサブレットやＡＳＰ（ａｃｔｉｖｅ  ｓｅｒｖｅｒ  ｐａｇｅ）ＳＳＩ（ｓｅｒｖｅｒ  ｓｉｄｅ  ｉｎｃｌｕｄｅ）その他を含む意味で使用する。
【０００６】
次に図２を用いて閲覧管理システムを構成する閲覧管理者のサーバの機能構成及びその働きについて説明する。本構成における各機器は通常サーバ内で稼動するプログラムによって構築される。
最初に閲覧者特定ＩＤ検出器（１）は対象ホームページを閲覧するときの、閲覧管理者のサーバへのアクセス信号から閲覧者特定ＩＤ（１０）を検出する。この際の仕組みについてはこの後の段で詳述する。
閲覧者特定ＩＤの閲覧日時保存確認器（２）はその検出された閲覧者特定ＩＤ（１０）で管理された閲覧日時（８）や閲覧回数、最終閲覧日時（９）がサーバ上の記憶装置（７）に保存されているか確認する。
閲覧者特定ＩＤ（１０）の閲覧日時更新追加保存器（３）は上記確認で保存されていない場合や、下記比較で閲覧日時（８）や閲覧回数、最終閲覧日時（９）を更新追加保存する。
閲覧日時現在時刻比較器（４）は最終閲覧日時と、現在時刻を比較し予め設定された期間や、日時を経過しているか比較する。
閲覧回数通知器（５）は閲覧者特定ＩＤ検出器（１）で検出された閲覧者特定ＩＤ（１０）の閲覧回数をホームページ閲覧者に通知する。通常はホームページ上に記述して通知する。
閲覧日時経過通知器（６）は閲覧日時現在時刻比較器（４）の結果をもらい、閲覧者特定ＩＤで検出された閲覧者特定ＩＤ（１０）のホームページ閲覧者が対象ホームページに予め設定された期間や、日時の間対象ホームページを閲覧していないことを通知する。通常はホームページ上に記述して通知する。
本システムは閲覧を管理するために
１．閲覧の履歴である閲覧日時（８）を追加保存する方法
２．閲覧の時点データである閲覧回数と最終閲覧日（９）を更新保存する方法
の２通りの方法で実現するものである。
【０００７】
共通実施例−閲覧者特定ＩＤの取得
図１を参照してホームページ特定ＩＤの取得について説明する。
ホームページ閲覧者が端末機（１）を用い対象ホームページ（８）を閲覧する時に、閲覧管理者のサーバ（２）へもアクセス信号（ｃ）を送信させ、その閲覧管理者のサーバ（２）は上記アクセス信号（ｃ）を元にホームページ特定ＩＤ（１０）を取得する。
対象ホームページ（８）を閲覧するときにホームページ開設者のサーバ（３）へアクセス（ａ，ｂ）しなければ対象ホームページ（８）を表示できないが、閲覧管理者のサーバ（２）へもアクセス信号（ｃ）を送信させ対象ホームページ（８）が閲覧された／されることを通知しなければ管理はできない。システムは閲覧中又は前後で必ず閲覧管理者のサーバ（２）へ対象ホームページ（８）が閲覧された／されることを通知するためにアクセス信号（ｃ）を送信させなければならない。
【０００８】
最初にこのアクセス信号を送信させる方法について説明する。最も簡単な実施法は閲覧管理者のサーバ（２）をＷＷＷサーバとしホームページ開設者のサーバ（３）の中の対象ホームページ（８）の一部として閲覧管理者のサーバ（２）の中のコンテンツをリンクする（１１）方法である。
ホームページ閲覧者が端末機（１）を用い対象ホームページ（８）を閲覧する時に、対象ホームページ（８）のコンテンツの一部としてその閲覧管理者のサーバ（２）内の画像や、ＣＧＩをリンクし呼び出させることにより、閲覧管理者のサーバ（２）へもアクセス信号を送信させ、その閲覧管理者のサーバ（２）は上記アクセス信号（ｃ）を元にホームページ特定ＩＤを取得する。
【０００９】
その他の閲覧管理者のサーバへアクセス信号を送信させる方法
詳細は省略するが、対象ホームページ（８）を閲覧する時に閲覧管理者のサーバ（２）へアクセス信号を送信させる方法にはこの他にも
１）閲覧管理者のサーバと、ホームページ開設者のサーバを同一のものにする方法
２）閲覧管理者のサーバをプロキシサーバとする方法
３）リダイレクトにより閲覧管理者のサーバから対象ホームページを閲覧する方法
等が有る。
【００１０】
閲覧者特定ＩＤを取得する方法
次に図１を参照して閲覧管理者のサーバへのアクセス信号を元に閲覧者特定ＩＤを取得する実施方について説明する。
確実で容易な方法はクッキーを用いる方法である。上記アクセス信号（ｃ）を閲覧管理者のサーバ（２）のＣＧＩへのアクセス信号とし、そのＣＧＩ内で閲覧管理者のサーバ（２）が閲覧者の端末機（１）に閲覧者特定ＩＤ（１０）としてクッキー（１２）（ＷＷＷサーバが閲覧者の端末機の記憶部に読み書きできるデータ）を設定する。次に閲覧管理者のサーバ（２）の上記ＣＧＩがアクセスされた場合は上記クッキー（１２）があるか確認し、ある場合はその値を返す。この値は閲覧管理者のサーバ（２）が管理するものであるからそのユニーク性は保証され、閲覧者特定ＩＤ（１０）のユニーク性は保証されたものとなる。
【００１１】
その他の閲覧者特定ＩＤの取得法
詳細は省略するが、閲覧者特定ＩＤ（１０）を取得する方法にはこの他にも
１）ＴＣＰ／ＩＰのプロトコルの情報から閲覧者の端末機を特定する情報を取得する。
２）ホームページ閲覧者にユーザＩＤなどを入力させる。
３）ブラウザに専用プラグインをいれ、端末機内にＩＤを設定または、取得する。
等が有る。
【００１２】
共通実施例−ホームページ特定ＩＤの取得
次に図３を参照して閲覧管理者のサーバへのアクセス信号を元にホームページ特定ＩＤを取得する実施方について説明する。
ホームページ閲覧者が端末機（１）を用い対象ホームページ（４）のひとつを閲覧する時に、対象ホームページ（４）のコンテンツの一部としてその閲覧管理者のサーバ（２）内の画像や、ＣＧＩをリンクし呼び出させることにより、ホームページ閲覧管理者のサーバ（２）へもアクセス信号を送信させ、その閲覧管理者のサーバ（２）は上記アクセス信号（１０）中の呼び出される画像データ名、ＣＧＩ名またはＣＧＩパラメータを元にホームページ特定ＩＤを取得する。ホームページ特定ＩＤは閲覧管理者のサーバが対象ホームページを一意に特定できればよいからＣＧＩ名や、連番、パラメータ、ＵＲＬなどを閲覧管理者のサーバ（２）が一意になるように管理しホームページ特定ＩＤとすればよい。
上記の場合閲覧管理者のサーバ（２）はＷＷＷサーバでもある。
【００１３】
閲覧管理者のサーバ（２）の画像を呼び出す場合も、ＣＧＩを呼び出してそのＣＧＩの中で必要な処理もし、画像を呼び出す方法が容易である。呼び出される画像データ名や、ＣＧＩの名前やＣＧＩに渡すパラメータを対象ホームページ（４）ごとに変えて、その画像データ名やＣＧＩ名、ＣＧＩに渡すパラメータをホームページ特定ＩＤにすることもできる。
呼び出される画像データ名や、ＣＧＩ名、ＣＧＩに渡すパラメータとは別途にホームページ特定ＩＤを設定する場合には、呼び出される画像データ名やＣＧＩ名、ＣＧＩパラメータとホームページ特定ＩＤが関連付けられ保存されているファイル（５、６、７）からホームページ特定ＩＤを取得することで実現できる。
ホームページ特定ＩＤは閲覧管理者のサーバが対象ホームページを一意に特定できればよいからＣＧＩ名や、連番、パラメータ、ＵＲＬなどを閲覧管理者のサーバ（２）が一意になるように管理しホームページ特定ＩＤとすればよい。
【００１４】
その他のホームページＩＤ取得法
詳細は省略するが、ホームページ特定ＩＤ（１０）を取得する方法にはこの他にも
１）対象ホームページ毎に閲覧管理者のサーバへのリンク先ＵＲＬを変える。
２）閲覧管理者のサーバへのリンクへのアクセス時に参照元ＵＲＬを取得する。
３）リダイレクトにより対象ホームページのＵＲＬを取得する。
等が有る。
【００１５】
つぎに図４を参照して閲覧者特定ＩＤと閲覧回数により閲覧を管理する方法を説明する。
ａ１）ホームページ閲覧者（Ｐ）が端末機（Ａ）を用い対象ホームページ（Ｃ）を閲覧する時に、ａ２）ホームページ閲覧管理者のサーバ（Ｚ）へもアクセス信号を送信させ、その閲覧管理者のサーバ（Ｚ）は上記アクセス信号を元には閲覧者のＩＤ又は閲覧端末機のＩＤを閲覧者特定ＩＤ（Ｂ）として取得する。
閲覧者特定ＩＤを取得するには、段落（０００７）「共通実施例−閲覧者特定ＩＤの取得」から段落（００１１）「その他の閲覧者特定ＩＤの取得法」までに既述した方法がある。
【００１６】
ｂ１）上記閲覧時にホームページ閲覧者（Ｐ）の端末機（Ａ）を用いた要求により閲覧管理者のサーバ（Ｚ）は上記取得した閲覧者特定ＩＤ（Ｂ）で管理された対象ホームページ（Ｃ）の閲覧回数（Ｋ）又は最終閲覧日（Ｓ）が上記サーバ上に保存されていない事を確認し、ｂ２）上記閲覧者特定ＩＤ（Ｂ）で管理する対象ホームページ（Ｃ）の閲覧回数（Ｋ）を１回として、またその閲覧の日時を最終閲覧日時（Ｓ）として上記サーバ（Ｚ）上の記憶装置（Ｄ）に保存する。
閲覧回数（Ｋ）と最終閲覧日（Ｓ）は対になって閲覧者特定ＩＤ（Ｂ）毎に管理されるので閲覧回数（Ｋ）の変わりに最終閲覧日（Ｓ）が上記サーバ（Ｚ）上に保存されているか確認することでも閲覧回数（Ｋ）が保存されているか確認することができる。
閲覧回数（Ｋ）を保存したことを閲覧者特定ＩＤ（Ｂ）毎のフラグなどで示すか、閲覧回数（Ｋ）を保存した閲覧者特定ＩＤ（Ｂ）のリストを作成して、そのフラグやリストを調べることによっても、閲覧回数（Ｋ）が保存されているか確認することができる。
【００１７】
ｃ１）ホームページ閲覧者（Ｐ）が端末機（Ａ）を用い対象ホームページ（Ｃ）を引き続き閲覧する都度、自動的に又はホームページ閲覧者（Ｐ）の端末機（Ａ）を用いた要求により、ｃ２）閲覧管理者のサーバ（Ｚ）は上記閲覧者特定ＩＤ（Ｂ）を上記ａ２と同様に再取得しｃ３）その閲覧者特定ＩＤ（Ｂ）で管理、保存されている上記最終閲覧日時（Ｓ）と現在時刻（Ｎ）を比較し、ｃ４）現在時刻（Ｎ）が対象ホームページに予め設定されて上記サーバ（Ｚ）又は上記サーバ（Ｚ）が読み出せるサーバの記憶装置（Ｄ）に保存された期間や日時（Ｑ）を経過している場合は上記閲覧者特定ＩＤ（Ｂ）で管理された対象ホームページ（Ｃ）の閲覧回数（Ｋ）を増やしその閲覧日時を最終閲覧日時（Ｓ）として上記サーバ（Ｚ）上の記憶部（Ｄ）に更新保存する。
閲覧に於いて閲覧日時を取得するに際し、閲覧者特定ＩＤ（Ｂ）取得時、上記要求時、所機比較時その他の時刻は厳密にはそれぞれ違う時間であるが、ホームページを閲覧した時刻を記録し管理するという意味においてどれを用いても構わないことは明白である。
【００１８】
ｄ１）ホームページ閲覧者（Ｐ）が端末機（Ａ）を用い要求する時に、ｄ２）閲覧管理者のサーバ（Ｚ）は上記閲覧者特定ＩＤ（Ｂ）を再取得し、ｄ３）その閲覧者特定ＩＤ（Ｂ）で管理、保存されている上記対象ホームページ（Ｃ）の閲覧回数（Ｋ）を上記閲覧者（Ｐ）の端末機（Ａ）に通知する。
【００１９】
次に図５を参照して最終閲覧日時から期間が経過していることを通知する方法を説明する。
ｅ１）ホームページ閲覧者（Ｐ）が端末機（Ａ）を用い対象ホームページ（Ｃ）を閲覧して要求する時に、ｅ２）上記サーバ（Ｚ）は上記閲覧者特定ＩＤ（Ｂ）を再取得し、ｅ３）その閲覧者特定ＩＤ（Ｂ）で管理、保存されている上記最終閲覧日時（Ｓ）と現在時刻（Ｎ）を比較し、ｅ４）現在時刻（Ｎ）が上記対象ホームページ（Ｃ）に予め設定され上記サーバ（Ｚ）又は上記サーバ（Ｚ）が読み出せるサーバの記憶装置（Ｄ）に保存された期間や日時（Ｑ）を経過している場合は、上記閲覧者（Ｐ）の端末機（Ａ）の表示装置（Ｈ）に表示して通知する。その通知の際に、対象ホームページ（Ｃ）のＵＲＬをリンクしたホームページを端末機（Ａ）上に表示して通知すれば容易に対象ホームページ（Ｃ）を閲覧できるようになる。
【００２０】
上記ａ〜ｅは閲覧管理者のサーバ（Ｚ）をＷＷＷサーバとしてそのサーバ（Ｚ）内のＣＧＩをアクセスさせそのＣＧＩの中で処理を行うことによって実現するのが容易である。
【００２１】
つぎに図６を参照して閲覧者特定ＩＤと閲覧日時により閲覧を管理する方法を説明する。
ａ１）ホームページ閲覧者（Ｐ）が端末機（Ａ）を用い対象ホームページ（Ｃ）を閲覧する時に、ａ２）ホームページ閲覧管理者のサーバ（Ｚ）へもアクセス信号を送信させ、その閲覧管理者のサーバ（Ｚ）は上記アクセス信号を元には閲覧者のＩＤ又は閲覧端末機のＩＤを閲覧者特定ＩＤ（Ｂ）として取得する。
閲覧者特定ＩＤを取得するには、段落（０００７）「共通実施例−閲覧者特定ＩＤの取得」から段落（００１１）「その他の閲覧者特定ＩＤの取得法」までに既述した方法がある。
【００２２】
ｂ１）上記閲覧時にホームページ閲覧者（Ｐ）の端末機（Ａ）を用いた要求により閲覧管理者のサーバ（Ｚ）は上記取得した閲覧者特定ＩＤ（Ｂ）で管理された対象ホームページ（Ｃ）の閲覧日時（Ｋ）が上記サーバ上に保存されていない事を確認し、ｂ２）上記閲覧者特定ＩＤ（Ｂ）で管理する対象ホームページ（Ｃ）の閲覧日時（Ｅ）として、上記閲覧の日時を上記サーバ（Ｚ）上の記憶装置（Ｄ）に保存する。
閲覧日時（Ｅ）を保存したことを閲覧者特定ＩＤ（Ｂ）毎のフラグなどで示すか、閲覧日時（Ｅ）を保存した閲覧者特定ＩＤ（Ｂ）のリストを作成して、そのフラグやリストを調べることによっても、閲覧日時（Ｅ）が保存されているか確認することができる。
【００２３】
ｃ１）ホームページ閲覧者（Ｐ）が端末機（Ａ）を用い対象ホームページ（Ｃ）を引き続き閲覧する都度、自動的に又はホームページ閲覧者（Ｐ）の端末機（Ａ）を用いた要求によりｃ２）閲覧管理者のサーバ（Ｚ）は上記閲覧者特定ＩＤ（Ｂ）を上記ａ２と同様に再取得しｃ３）その閲覧者特定ＩＤ（Ｂ）で管理、保存されている上記閲覧日時（Ｅ）の中の最終閲覧日時と現在時刻（Ｎ）を比較し、ｃ４）現在時刻（Ｎ）が対象ホームページに予め設定されて上記サーバ（Ｚ）又は上記サーバ（Ｚ）が読み出せるサーバの記憶装置（Ｄ）に保存された期間や日時（Ｑ）を経過している場合は上記閲覧者特定ＩＤ（Ｂ）で管理する対象ホームページ（Ｃ）の閲覧日時（Ｅ）としてその閲覧日時を上記サーバ（Ｚ）上の記憶部（Ｄ）に追加保存する。
閲覧に於いて閲覧日時を取得するに際し、閲覧者特定ＩＤ（Ｂ）取得時、上記要求時、上記比較時その他の時刻は厳密にはそれぞれ違う時間であるが、ホームページを閲覧した時刻を記録し管理するという意味においてどれを用いても閲覧日時となることは明白である。
【００２４】
ｄ１）ホームページ閲覧者（Ｐ）が端末機（Ａ）を用い要求する時に、ｄ２）閲覧管理者のサーバ（Ｚ）は上記閲覧者特定ＩＤ（Ｂ）を再取得し、ｄ３）その閲覧者特定ＩＤ（Ｂ）で管理、保存されている上記対象ホームページ（Ｃ）の閲覧日時（Ｅ）の個数を数えて出した閲覧回数又は／及び閲覧日時を上記閲覧者（Ｐ）の端末機（Ａ）に通知する。
【００２５】
次に図７を参照して閲覧してからの期間が経過していることを通知する方法を説明する。
ｅ１）ホームページ閲覧者（Ｐ）が端末機（Ａ）を用い対象ホームページ（Ｃ）を閲覧して要求する時に、ｅ２）上記サーバ（Ｚ）は上記閲覧者特定ＩＤ（Ｂ）を再取得し、ｅ３）その閲覧者特定ＩＤ（Ｂ）で管理、保存されている上記閲覧日時（Ｅ）の中の最終閲覧日時と現在時刻（Ｎ）を比較し、ｅ４）現在時刻（Ｎ）が上記対象ホームページ（Ｃ）に予め設定され上記サーバ（Ｚ）又は上記サーバ（Ｚ）が読み出せるサーバの記憶装置（Ｄ）に保存された期間や日時（Ｑ）を経過している場合は、上記閲覧者（Ｐ）の端末機（Ａ）の表示装置（Ｈ）に表示して通知する。
その通知の際に、対象ホームページ（Ｃ）のＵＲＬをリンクしたホームページを端末機（Ａ）上に表示して通知すれば容易に対象ホームページ（Ｃ）を閲覧できるようになる。
【００２６】
上記ａ〜ｅは閲覧管理者のサーバ（Ｚ）をＷＷＷサーバとしてそのサーバ（Ｚ）内のＣＧＩをアクセスさせそのＣＧＩの中で処理を行うことによって実現するのが容易である。
【００２７】
つぎに図８を参照して収集用画像と閲覧日時による閲覧を管理する方法を説明する。
ａ１）閲覧管理者（Ｐ）は閲覧管理者のサーバ（Ｚ）又は閲覧管理者のサーバ（Ｚ）が読み出すことが出来るサーバ上に収集用画像データ（Ｇ）を準備し、ａ２）対象ホームページ（Ｃ）上に上記収集用画像をリンクさせ配置する。
【００２８】
ｂ１）ホームページ閲覧者が端末機（Ａ）を用い対象ホームページ（Ｃ）を閲覧する時に、ｂ２）ホームページ閲覧管理者のサーバ（Ｚ）へもアクセス信号を送信させ、その閲覧管理者のサーバ（Ｚ）は上記アクセス信号を元には閲覧者のＩＤ又は閲覧端末機のＩＤを閲覧者特定ＩＤ（Ｂ）として取得する。
閲覧者特定ＩＤを取得するには、段落（０００７）「共通実施例−閲覧者特定ＩＤの取得」から段落（００１１）「その他の閲覧者特定ＩＤの取得法」までに既述した方法がある。
【００２９】
ｃ１）上記閲覧時にホームページ閲覧者（Ｐ）の端末機（Ａ）を用いた要求により閲覧管理者のサーバ（Ｚ）は上記取得した閲覧者特定ＩＤ（Ｂ）で管理された収集履歴（Ｒ）に上記収集用画像データ（Ｇ）又は／及び画像を特定するデータ（Ｆ）が保存されていない事を確認し、ｃ２）上記閲覧者特定ＩＤ（Ｂ）で管理する収集履歴（Ｒ）に上記収集用画像データ（Ｇ）又は／及び画像を特定するデータ（Ｆ）と、その閲覧日時（Ｅ）を保存して収集するする。
画像データ（Ｇ）又は／及び画像を特定するデータ（Ｆ）を保存したことを閲覧者特定ＩＤ（Ｂ）毎のフラグなどで示すか、画像データ（Ｇ）又は／及び画像を特定するデータ（Ｆ）を保存した閲覧者特定ＩＤ（Ｂ）のリストを作成して、そのフラグやリストを調べることによっても、画像データ（Ｇ）又は／及び画像を特定するデータ（Ｆ）が保存されているか確認することができる。
【００３０】
ｄ１）ホームページ閲覧者（Ｐ）が端末機（Ａ）を用い対象ホームページ（Ｃ）を引き続き閲覧する都度、自動的に又はホームページ閲覧者（Ｐ）の端末機（Ａ）を用いた要求により、ｄ２）閲覧管理者のサーバ（Ｚ）は上記閲覧者特定ＩＤ（Ｂ）を再取得し、ｄ３）その閲覧者特定ＩＤ（Ｂ）で管理、保存収集されている上記閲覧日時（Ｅ）の中の最終閲覧日時と現在時刻（Ｎ）を比較し、ｄ４）現在時刻（Ｎ）が対象ホームページ（Ｃ）に予め設定され上記サーバ（Ｚ）又は上記サーバ（Ｚ）が読み出せるサーバ上に保存された期間や日時（Ｑ）を経過している場合は上記閲覧者特定ＩＤ（Ｂ）で管理する収集履歴に上記収集用画像データ（Ｇ）又は／及び画像を特定するデータ（Ｆ）と、その閲覧日時（Ｅ）を上記サーバ（Ｚ）上に追加保存して収集する。
上記ｂ〜ｄは閲覧管理者のサーバ（Ｚ）をＷＷＷサーバとしてそのサーバ（Ｚ）内のＣＧＩをアクセスさせそのＣＧＩの中で処理を行うことによって実現するのが容易である。
【００３１】
ｅ１）ホームページ閲覧者（Ｐ）が端末機（Ａ）を用い要求する時に、ｅ２）閲覧管理者のサーバ（Ｚ）は上記閲覧者特定ＩＤ（Ｂ）を再取得し、ｅ３）その閲覧者特定ＩＤ（Ｂ）で上記管理され保存、収集された画像データ（Ｇ）又は／及び画像を特定するデータ（Ｆ）から上記ホームページ閲覧者（Ｐ）の端末機（Ｔ）に画像（Ｉ）として表示して上記ホームページ閲覧者（Ｐ）に閲覧せしめる。画像データ（Ｇ）はファイルとして保存してもよいし、データベースの中のデータとして保存することも出来る。また画像データ（Ｇ）そのものでもなくとも、画像ファイル名や、画像データを特定する規則的なデータ、別名などをデータベースに保存すれば記憶装置の節約になる。
【００３２】
つぎに図９を参照して収集用画像と閲覧日時による閲覧を管理する方法を説明する。
ｆ１）ホームページ閲覧者（Ｐ）からの端末機（Ａ）を用いた要求により閲覧管理者のサーバ（Ｚ）は上記閲覧者特定ＩＤ（Ｂ）を再取得しその閲覧者特定ＩＤ（Ｂ）で管理、保存されている上記閲覧日時（Ｅ）の中の最終閲覧日時と現在時刻（Ｎ）を比較し、現在時刻（Ｎ）が上記予め設定した上記期間や日時（Ｑ）を経過している場合は、上記管理され保存、収集された画像データ（Ｇ）又は／及び画像を特定するデータ（Ｆ）から上記ホームページ閲覧者（Ｐ）の端末機（Ａ）に画像（Ｉ）として表示すると共に表示法を変化させ通知する。
表示法を変化させる方法としては、画像（Ｇ）そのものを点滅させたり、色を変えたりするなどの他に、画像を表示する周囲を色付けしたり、点滅させたりする方法がある。
その通知の際に、対象ホームページ（Ｃ）のＵＲＬをリンクしたホームページを端末機（Ａ）上に表示して通知すれば容易に対象ホームページ（Ｃ）を閲覧できるようになる。
上記ｆは閲覧管理者のサーバ（Ｚ）をＷＷＷサーバとしてそのサーバ（Ｚ）内のＣＧＩをアクセスさせそのＣＧＩの中で処理を行うことによって実現するのが容易である。
【００３３】
つぎに図１０を参照してホームページ特定ＩＤ毎の閲覧回数により管理する方法を説明する。
ａ１）ホームページ閲覧者（Ｐ）が端末機（Ａ）を用い対象ホームページ（Ｃ）のひとつを閲覧する時に、ａ２）ホームページ閲覧管理者のサーバ（Ｚ）へもアクセス信号を送信させ、その閲覧管理者のサーバ（Ｚ）は上記アクセス信号を元にホームページ特定ＩＤ（Ｊ）を取得し、閲覧者のＩＤ又は閲覧端末機のＩＤを閲覧者特定ＩＤ（Ｂ）として取得する。
ホームページ閲覧管理者のサーバ（Ｚ）へもアクセス信号を送信させるには段落（０００７）「共通実施例−閲覧者特定ＩＤの取得」から段落（０００９）「その他の閲覧管理者のサーバへアクセス信号を送信させる方法」までに既述した方法がある。
閲覧者特定ＩＤを取得するには、段落（００１０）「閲覧者特定ＩＤを取得する方法」から段落（００１１）「その他の閲覧者特定ＩＤの取得法」までに既述した方法がある。
またホームページ特定ＩＤを取得するには、段落（００１２）「共通実施例−ホームページ特定ＩＤの取得」から段落（００１４）「その他のホームページＩＤ取得法」までに既述した方法がある。
【００３４】
ｂ１）上記閲覧時にホームページ閲覧者（Ｐ）の端末機（Ａ）を用いた要求により閲覧管理者のサーバ（Ｚ）は上記ホームページ特定ＩＤ（Ｊ）及び上記閲覧者特定ＩＤ（Ｂ）で管理されたホームページの閲覧回数（Ｋ）が上記サーバ上に保存されていない事を確認し、ｂ２）上記ホームページ特定ＩＤ（Ｊ）及び上記閲覧者特定ＩＤ（Ｂ）で管理する対象ホームページ（Ｃ）の閲覧回数（Ｋ）を１として、またその閲覧の日時を最終閲覧日時（Ｓ）として上記サーバ（Ｚ）上に保存する。
閲覧回数（Ｋ）を保存したことを閲覧者特定ＩＤ（Ｂ）及びホームページ特定ＩＤ（Ｊ）毎に管理されたフラグなどで示すか、閲覧回数（Ｋ）を保存した閲覧者特定ＩＤ（Ｂ）毎のホームページ特定ＩＤ（Ｊ）のリストを作成して、そのフラグやリストを調べることによっても、閲覧回数（Ｋ）が保存されているか確認することができる。
【００３５】
ｃ１）ホームページ閲覧者（Ｐ）が端末機（Ａ）を用い上記ｃで要求した対象ホームページ（Ｃ）を引き続き閲覧する都度、自動的に又はホームページ閲覧者（Ｐ）の端末機（Ａ）を用いた要求により、ｃ２）閲覧管理者のサーバ（Ｚ）は上記ホームページ特定ＩＤ（Ｊ）及び上記上記閲覧者特定ＩＤ（Ｂ）を再取得し、ｃ３）そのホームページ特定ＩＤ（Ｊ）及び閲覧者特定ＩＤ（Ｂ）で管理、保存された上記最終閲覧日時（Ｓ）と現在時刻（Ｎ）を比較し、ｃ４）現在時刻（Ｎ）が上記ホームページ特定ＩＤ（Ｂ）に予め設定され上記サーバ（Ｚ）又は上記サーバ（Ｚ）が読み出せるサーバ上に保存された期間や日時（Ｑ）を経過している場合は上記ホームページ特定ＩＤ（Ｊ）及び閲覧者特定ＩＤ（Ｂ）で管理された閲覧回数（Ｋ）を増やしその閲覧日時を最終閲覧日時（Ｓ）として上記サーバ（Ｚ）上に更新保存する。
閲覧に於いて閲覧日時を取得するに際し、閲覧者特定ＩＤ（Ｂ）取得時、上記要求時、上記比較時その他の時刻は厳密にはそれぞれ違う時間であるが、ホームページを閲覧した時刻を記録し管理するという意味においてどれを用いても閲覧日時となることは明白である。
【００３６】
上記ａ〜ｃは閲覧管理者のサーバ（Ｚ）をＷＷＷサーバとしてそのサーバ（Ｚ）内のＣＧＩをアクセスさせそのＣＧＩの中で処理を行うことによって実現するのが容易である。
【００３７】
ｄ１）ホームページ閲覧者（Ｐ）が端末機（Ａ）を用い上記ｃで要求した対象ホームページ（Ｃ）のひとつを閲覧して要求した時に、ｄ２）上記サーバ（Ｚ）は上記ホームページ特定ＩＤ（Ｊ）及び上記閲覧者特定ＩＤ（Ｂ）を再取得し、ｄ３）その上記ホームページ特定ＩＤ（Ｊ）及び閲覧者特定ＩＤ（Ｂ）で管理、保存されている上記対象ホームページ（Ｃ）の閲覧回数（Ｋ）を上記閲覧者（Ｐ）の端末機（Ａ）に通知する。
上記は閲覧管理者のサーバ（Ｚ）をＷＷＷサーバとしてそのサーバ（Ｚ）内のＣＧＩをアクセスさせそのＣＧＩの中で処理を行うことによって実現するのが容易である。
【００３８】
つぎに図１１を参照してホームページ特定ＩＤ毎の閲覧回数及び期間の経過を通知する方法を説明する。
ｅ１）ホームページ閲覧者（Ｐ）が端末機（Ａ）を用い要求する時に閲覧管理者のサーバ（Ｚ）は上記閲覧者特定ＩＤ（Ｂ）を再取得し、ｅ２）ホームページ特定ＩＤ（Ｊ）及び閲覧者特定ＩＤ（Ｂ）毎に管理、保存されている対象ホームページの閲覧回数（Ｋ）の中からその再取得した上記閲覧者特定ＩＤ（Ｂ）の対象ホームページの閲覧回数（Ｅ）を選択し、ｅ３）その選択した閲覧回数（Ｅ）をホームページ特定ＩＤ（Ｊ）又はそのＩＤが示すホームページ名と共に上記閲覧者（Ｐ）の端末機（Ａ）に通知する。
【００３９】
ｆ１）上記通知時に閲覧管理者のサーバ（Ｚ）は上記選択した対象ホームページのホームページ特定ＩＤ（Ｊ）毎の最終閲覧日時（Ｓ）と現在時刻（Ｎ）を比較し、ｆ２．）現在時刻（Ｎ）がホームページ特定ＩＤ（Ｊ）毎に予め設定され上記サーバ（Ｚ）又は上記サーバ（Ｚ）が読み出せるサーバ上に保存された該期間や該日時（Ｑ）を経過している場合はそのホームページ特定ＩＤ（Ｊ）又はそのＩＤが示す対象ホームページ名と共に上記閲覧者（Ｐ）の端末機（Ａ）に通知する。
その通知の際に、上記ホームページ特定ＩＤ毎に（Ｊ）その対象ホームページ（Ｃ）のＵＲＬをリンクしたホームページを端末機（Ａ）上に表示して通知すれば容易に対象ホームページ（Ｃ）を閲覧できるようになる。
【００４０】
上記ｅ、ｆは閲覧管理者のサーバ（Ｚ）をＷＷＷサーバとしてそのサーバ（Ｚ）内のＣＧＩをアクセスさせそのＣＧＩの中で処理を行うことによって実現するのが容易である。
【００４１】
つぎに図１２を参照してホームページ特定ＩＤ毎の閲覧日時により管理する方法を説明する。
ａ１）ホームページ閲覧者（Ｐ）が端末機（Ａ）を用い対象ホームページ（Ｃ）のひとつを閲覧する時に、ａ２）ホームページ閲覧管理者のサーバ（Ｚ）へもアクセス信号を送信させ、その閲覧管理者のサーバ（Ｚ）は上記アクセス信号を元にホームページ特定ＩＤ（Ｊ）を取得し、閲覧者のＩＤ又は閲覧端末機のＩＤを閲覧者特定ＩＤ（Ｂ）として取得する。
ホームページ閲覧管理者のサーバ（Ｚ）へもアクセス信号を送信させるには段落（０００７）「共通実施例−閲覧者特定ＩＤの取得」から段落（０００９）「その他の閲覧管理者のサーバへアクセス信号を送信させる方法」までに既述した方法がある。
閲覧者特定ＩＤを取得するには、段落（００１０）「閲覧者特定ＩＤを取得する方法」から段落（００１１）「その他の閲覧者特定ＩＤの取得法」までに既述した方法がある。
またホームページ特定ＩＤを取得するには、段落（００１２）「共通実施例−ホームページ特定ＩＤの取得」から段落（００１４）「その他のホームページＩＤ取得法」までに既述した方法がある。
【００４２】
ｂ１）上記閲覧時にホームページ閲覧者（Ｐ）の端末機（Ａ）を用いた要求により閲覧管理者のサーバ（Ｚ）は上記ホームページ特定ＩＤ（Ｊ）及び上記閲覧者特定ＩＤ（Ｂ）で管理されたホームページの閲覧日時（Ｅ）が上記サーバ上に保存されていない事を確認し、ｂ２）上記ホームページ特定ＩＤ（Ｊ）及び上記閲覧者特定ＩＤ（Ｂ）で管理する対象ホームページ（Ｃ）の閲覧日時として、上記閲覧の日時を上記サーバ（Ｚ）上に保存する。
閲覧日時（Ｅ）を保存したことを閲覧者特定ＩＤ（Ｂ）及びホームページ特定ＩＤ（Ｊ）毎に管理されたフラグなどで示すか、閲覧日時（Ｅ）を保存した閲覧者特定ＩＤ（Ｂ）毎のホームページ特定ＩＤ（Ｊ）のリストを作成して、そのフラグやリストを調べることによっても、閲覧日時（Ｅ）が保存されているか確認することができる。
【００４３】
ｃ１）ホームページ閲覧者（Ｐ）が端末機（Ａ）を用い上記ｃで要求した対象ホームページ（Ｃ）を引き続き閲覧する都度、自動的に又はホームページ閲覧者（Ｐ）の端末機（Ａ）を用いた要求により、ｃ２）閲覧管理者のサーバ（Ｚ）は上記ホームページ特定ＩＤ（Ｊ）及び上記上記閲覧者特定ＩＤ（Ｂ）を再取得し、ｃ３）そのホームページ特定ＩＤ（Ｊ）及び閲覧者特定ＩＤ（Ｂ）で管理、保存された上記閲覧日時（Ｅ）の中の最終閲覧日時と現在時刻（Ｎ）を比較し、ｃ４）現在時刻（Ｎ）が上記ホームページ特定ＩＤ（Ｂ）に予め設定され上記サーバ（Ｚ）又は上記サーバ（Ｚ）が読み出せるサーバ上に保存された期間や日時（Ｑ）を経過している場合は上記ホームページ特定ＩＤ（Ｊ）及び閲覧者特定ＩＤ（Ｂ）で管理する対象ホームページの閲覧日時（Ｅ）としてその閲覧の日時を上記サーバ（Ｚ）上に追加保存する。
閲覧に於いて閲覧日時を取得するに際し、閲覧者特定ＩＤ（Ｂ）取得時、上記要求時、上記比較時その他の時刻は厳密にはそれぞれ違う時間であるが、ホームページを閲覧した時刻を記録し管理するという意味においてどれを用いても閲覧日時となることは明白である。
【００４４】
上記ａ〜ｃは閲覧管理者のサーバ（Ｚ）をＷＷＷサーバとしてそのサーバ（Ｚ）内のＣＧＩをアクセスさせそのＣＧＩの中で処理を行うことによって実現するのが容易である。
【００４５】
ｄ１）ホームページ閲覧者（Ｐ）が端末機（Ａ）を用い上記ｃで要求した対象ホームページ（Ｃ）のひとつを閲覧して要求した時に、ｄ２）上記サーバ（Ｚ）は上記ホームページ特定ＩＤ（Ｊ）及び上記閲覧者特定ＩＤ（Ｂ）を再取得し、ｄ３）その上記ホームページ特定ＩＤ（Ｊ）及び閲覧者特定ＩＤ（Ｂ）で管理、保存されている上記対象ホームページ（Ｃ）の閲覧日時（Ｅ）の個数を数えて出した閲覧回数又は／及び上記閲覧日時（Ｅ）を上記閲覧者（Ｐ）の端末機（Ａ）に通知する。
上記は閲覧管理者のサーバ（Ｚ）をＷＷＷサーバとしてそのサーバ（Ｚ）内のＣＧＩをアクセスさせそのＣＧＩの中で処理を行うことによって実現するのが容易である。
【００４６】
つぎに図１３を参照してホームページ特定ＩＤ毎の閲覧日時及び期間の経過を通知する方法を説明する。
ｅ１）ホームページ閲覧者（Ｐ）が端末機（Ａ）を用い要求する時に閲覧管理者のサーバ（Ｚ）は上記閲覧者特定ＩＤ（Ｂ）を再取得し、ｅ２）ホームページ特定ＩＤ（Ｊ）及び閲覧者特定ＩＤ（Ｂ）毎に管理、保存されている対象ホームページの閲覧日時（Ｅ）の中からその再取得した上記閲覧者特定ＩＤ（Ｂ）の対象ホームページの閲覧日時（Ｅ）を選択し、ｅ３）その選択した閲覧日時（Ｅ）の個数をホームページ特定ＩＤ（Ｊ）毎に数えて出した閲覧回数又は／及び上記閲覧日時（Ｅ）をホームページ特定ＩＤ（Ｊ）又はそのＩＤが示すホームページ名と共に上記閲覧者（Ｐ）の端末機（Ａ）に通知する
【００４７】
ｆ１）上記通知時に閲覧管理者のサーバ（Ｚ）は上記選択した対象ホームページのホームページ特定ＩＤ（Ｊ）毎に保存された閲覧日時（Ｅ）の中の最終閲覧日時と現在時刻（Ｎ）を比較し、ｆ２．）現在時刻（Ｎ）がホームページ特定ＩＤ（Ｊ）毎に予め設定され上記サーバ（Ｚ）又は上記サーバ（Ｚ）が読み出せるサーバ上に保存された該期間や該日時（Ｑ）を経過している場合はそのホームページ特定ＩＤ（Ｊ）又はそのＩＤが示す対象ホームページ名と共に上記閲覧者（Ｐ）の端末機（Ａ）に通知する。
その通知の際に、上記ホームページ特定ＩＤ毎に（Ｊ）その対象ホームページ（Ｃ）のＵＲＬをリンクしたホームページを端末機（Ａ）上に表示して通知すれば容易に対象ホームページ（Ｃ）を閲覧できるようになる。
【００４８】
上記ｅ、ｆは閲覧管理者のサーバ（Ｚ）をＷＷＷサーバとしてそのサーバ（Ｚ）内のＣＧＩをアクセスさせそのＣＧＩの中で処理を行うことによって実現するのが容易である。
【００４９】
つぎに図１４を参照してホームページ特定ＩＤ毎に閲覧を管理するか問い合わせする方法を説明する。
ａ）ホームページ閲覧者（Ｐ）が端末機（Ａ）を用い対象ホームページのひとつ（Ｃ）を閲覧する時に、閲覧管理者のサーバ（Ｚ）はホームページ特定ＩＤ（Ｊ）を取得し、閲覧者のＩＤ又は閲覧端末機のＩＤを閲覧者特定ＩＤ（Ｂ）として取得する。
【００５０】
ｂ１）上記閲覧時に閲覧管理者のサーバ（Ｚ）は上記ホームページ特定ＩＤ（Ｊ）及び上記閲覧者特定ＩＤ（Ｂ）で管理されたホームページの閲覧回数（Ｋ）又は閲覧日時（Ｅ）が上記サーバ（Ｚ）上に保存されていない事を確認し、閲覧回数（Ｋ）又は閲覧日時（Ｅ）の保存を開始するか否かをホームページ閲覧者（Ｐ）の端末機（Ａ）に表示して問い合わせする。
閲覧回数（Ｋ）や閲覧日時（Ｅ）を保存したことを閲覧者特定ＩＤ（Ｂ）及びホームページ特定ＩＤ（Ｊ）毎に管理されたフラグなどで示すか、閲覧回数（Ｋ）や閲覧日時（Ｅ）を保存した閲覧者特定ＩＤ（Ｂ）毎のホームページ特定ＩＤのリストを作成して、そのフラグやリストを調べることによっても、閲覧回数（Ｋ）や閲覧日時（Ｅ）が保存されているか確認することができる。
さらに閲覧者（Ｐ）の端末機（Ａ）上のクッキーに閲覧回数（Ｋ）や閲覧日時（Ｅ）を保存したホームページ特定ＩＤのリストを作成し、そのクッキーを調べることでも閲覧回数（Ｋ）や閲覧日時（Ｅ）が保存されているか確認することができる。
【図面の簡単な説明】
【図１】閲覧管理システムを構成する機器
【図２】閲覧管理システムの機能の構成
【図３】ホームページ特定ＩＤを取得する方法
【図４】閲覧者特定ＩＤと閲覧回数で管理する方法
【図５】閲覧者特定ＩＤと閲覧回数で管理し期間経過を通知する方法
【図６】閲覧者特定ＩＤと閲覧日時で管理する方法
【図７】閲覧者特定ＩＤと閲覧日時で管理し期間経過を通知する方法
【図８】画像を保存して表示し閲覧を管理する方法
【図９】画像を保存して表示し閲覧を管理し期間経過を通知する方法
【図１０】閲覧者特定ＩＤとホームページ特定ＩＤと閲覧回数で管理する方法
【図１１】閲覧者特定ＩＤとホームページ特定ＩＤと閲覧回数で管理し閲覧回数、期間経過を通知する方法
【図１２】閲覧者特定ＩＤとホームページ特定ＩＤと閲覧日時で管理する方法
【図１３】閲覧者特定ＩＤとホームページ特定ＩＤと閲覧日時で管理し閲覧回数、期間経過を通知する方法
【図１４】閲覧管理開始を問い合わせする方法
【符号の説明】
（図１）
（１）閲覧者の端末機；  （２）閲覧管理者のサーバ；  （３）ホームページ開設者のサーバ；  （４）閲覧管理者のサーバの記憶装置；  （５）閲覧管理者のサーバの記憶装置；  （６）閲覧者；  （７）保存された閲覧日時；  （８）対象ホームページ；  （９）端末機の表示装置；  （１０）閲覧者特定ＩＤ；  （１１）リンクされたコンテンツ；  （１２）クッキー；
（図２）
（１）閲覧者特定ＩＤ検出器  （２）閲覧者特定ＩＤの閲覧日時保存確認器；  （３）閲覧者特定ＩＤの閲覧日時更新追加保存器；  （４）閲覧日時現在時刻比較器；  （５）閲覧回数通知器；  （６）閲覧日時経過通知器；  （７）記憶装置；  （８）閲覧日時；  （９）閲覧回数最終閲覧日時；  （１０）閲覧者特定ＩＤ；  （１１）閲覧管理者のサーバ；
（図３）
（１）閲覧者の端末機；  （２）閲覧管理者のサーバ；  （３）ホームページ開設者のサーバ；  （４）対象ホームページ；  （５）ＵＲＬ−ホームページ特定ＩＤファイル；  （６）画像データ名−ホームページ特定ＩＤファイル；  （７）リンク先ＵＲＬ−ホームページ特定ＩＤファイル；  （８）対象ホームページ要求信号；  （９）対象ホームページ表示信号；  （１０）リンク先要求信号；（１１）リンク先表示信号；
（図４）
Ａ．閲覧者の端末機；  Ｂ．閲覧者特定ＩＤ；  Ｃ．対象ホームページ；  Ｄ．記憶装置；  Ｈ．表示装置；  Ｋ．閲覧回数；  Ｌ．ホームページ開設者のサーバ；  Ｎ．現在時刻；  Ｐ．ホームページ閲覧者；  Ｑ．設定期間；  Ｓ．最終閲覧日時；  Ｚ．閲覧管理者のサーバ；
（図５）
Ａ．閲覧者の端末機；  Ｂ．閲覧者特定ＩＤ；  Ｃ．対象ホームページ；  Ｄ．記憶装置；  Ｈ．表示装置；  Ｋ．閲覧回数；  Ｌ．ホームページ開設者のサーバ；  Ｎ．現在時刻；  Ｐ．ホームページ閲覧者；  Ｑ．設定期間；  Ｓ．最終閲覧日時；  Ｚ．閲覧管理者のサーバ；
（図６）
Ａ．閲覧者の端末機；  Ｂ．閲覧者特定ＩＤ；  Ｃ．対象ホームページ；  Ｄ．記憶装置；  Ｅ．閲覧日時；  Ｈ．表示装置；  Ｌ．ホームページ開設者のサーバ；  Ｎ．現在時刻；  Ｐ．ホームページ閲覧者；  Ｑ．設定期間；  Ｚ．閲覧管理者のサーバ；
（図７）
Ａ．閲覧者の端末機；  Ｂ．閲覧者特定ＩＤ；  Ｃ．対象ホームページ；  Ｄ．記憶装置；  Ｅ．閲覧日時；  Ｈ．表示装置；  Ｌ．ホームページ開設者のサーバ；  Ｎ．現在時刻；  Ｐ．ホームページ閲覧者；  Ｑ．設定期間；  Ｚ．閲覧管理者のサーバ；
（図８）
Ａ．閲覧者の端末機；  Ｂ．閲覧者特定ＩＤ；  Ｃ．対象ホームページ；  Ｄ．記憶装置；  Ｅ．閲覧日時；  Ｆ．画像を特定するデータ；  Ｇ．画像データ；Ｇ１．リンクされた収集用画像；  Ｈ．表示装置；  Ｉ．表示された画像データの画像；  Ｌ．ホームページ開設者のサーバ；  Ｎ．現在時刻；  Ｐ．ホームページ閲覧者；  Ｑ．設定期間；  Ｚ．閲覧管理者のサーバ；
（図９）
Ａ．閲覧者の端末機；  Ｂ．閲覧者特定ＩＤ；  Ｃ．対象ホームページ；  Ｄ．記憶装置；  Ｅ．閲覧日時；  Ｆ．画像を特定するデータ；  Ｇ．画像データ；Ｈ．表示装置；  Ｉ．表示された画像データの画像；  Ｌ．ホームページ開設者のサーバ；  Ｎ．現在時刻；  Ｐ．ホームページ閲覧者；  Ｑ．設定期間；  Ｚ．閲覧管理者のサーバ；
（図１０）
Ａ．閲覧者の端末機；  Ｂ．閲覧者特定ＩＤ；  Ｃ．対象ホームページ；  Ｄ．記憶装置；  Ｈ．表示装置；  Ｊ．ホームページ特定ＩＤ；  Ｋ．閲覧回数；  Ｌ．ホームページ開設者のサーバ；  Ｎ．現在時刻；  Ｐ．ホームページ閲覧者；  Ｑ．設定期間；  Ｓ．最終閲覧日時；  Ｚ．閲覧管理者のサーバ；
（図１１）
Ａ．閲覧者の端末機；  Ｂ．閲覧者特定ＩＤ；  Ｃ．対象ホームページ；  Ｄ．記憶装置；  Ｈ．表示装置；  Ｊ．ホームページ特定ＩＤ；  Ｋ．閲覧回数；  Ｌ．ホームページ開設者のサーバ；  Ｎ．現在時刻；  Ｐ．ホームページ閲覧者；  Ｑ．設定期間；  Ｓ．最終閲覧日時；  Ｚ．閲覧管理者のサーバ；
（図１２）
Ａ．閲覧者の端末機；  Ｂ．閲覧者特定ＩＤ；  Ｃ．対象ホームページ；  Ｄ．記憶装置；  Ｅ．閲覧日時；  Ｈ．表示装置；  Ｊ．ホームページ特定ＩＤ；  Ｌ．ホームページ開設者のサーバ；  Ｎ．現在時刻；  Ｐ．ホームページ閲覧者；  Ｑ．設定期間；  Ｚ．閲覧管理者のサーバ；
（図１３）
Ａ．閲覧者の端末機；  Ｂ．閲覧者特定ＩＤ；  Ｃ．対象ホームページ；  Ｄ．記憶装置；  Ｅ．閲覧日時；  Ｈ．表示装置；  Ｊ．ホームページ特定ＩＤ；  Ｌ．ホームページ開設者のサーバ；  Ｎ．現在時刻；  Ｐ．ホームページ閲覧者；  Ｑ．設定期間；  Ｚ．閲覧管理者のサーバ；
（図１４）
Ａ．閲覧者の端末機；  Ｂ．閲覧者特定ＩＤ；  Ｃ．対象ホームページ；  Ｄ．記憶装置；  Ｅ．閲覧日時；  Ｈ．表示装置；  Ｊ．ホームページ特定ＩＤ；  Ｋ．閲覧回数；  Ｌ．ホームページ開設者のサーバ；  Ｎ．現在時刻；  Ｐ．ホームページ閲覧者；  Ｑ．設定期間；  Ｚ．閲覧管理者のサーバ；
【図１】
2004246496.tif 000003
【図２】
2004246496.tif 000004
【図３】
2004246496.tif 000005
【図４】
2004246496.tif 000006
【図５】
2004246496.tif 000007
【図６】
2004246496.tif 000008
【図７】
2004246496.tif 000009
【図８】
2004246496.tif 000010
【図９】
2004246496.tif 000011
【図１０】
2004246496.tif 000012
【図１１】
2004246496.tif 000013
【図１２】
2004246496.tif 000014
【図１３】
2004246496.tif 000015
【図１４】
2004246496.tif 000016